(57)【要約】【課題】光ディスクの同一箇所に光ディスクドライブのレーザが長時間照射されないようにしてその劣化を防止する光ディスク再生装置を提供すること。【解決手段】光ディスクドライブ１３が読み出すデータの再生箇所を検出する再生箇所検出手段１０と、光ディスク１の同一再生箇所を継続して再生する場合にその時間を検出する再生継続時間検出手段１１と、光ディスクドライブが読み出している再生箇所を記憶する再生箇所記憶手段１２を有し、制御手段６は、再生継続時間検出手段１１が同一箇所を所定時間連続再生したことを検出した場合に、光ディスクドライブ１３によるデータの読み出しを休止し、この休止は当該装置に対する操作手段５によるユーザの操作があるまで継続するように構成した。【選択図】図１
2011210320.tif 000002
【特許請求の範囲】
【請求項１】
光ディスクのデータを読み出す光ディスクドライブ手段と、
前記光ディスクドライブ手段が読み出した光ディスクのデータを再生する再生手段と、
前記光ディスクドライブ手段、再生手段を制御する制御手段と、
ユーザの操作により前記制御手段に制御操作情報を入力する操作手段とを備え、
前記制御手段は、前記光ディスクドライブが読み出すデータの再生箇所を検出する再生箇所検出手段と、前記光ディスクの同一再生箇所を継続して再生する場合にその時間を検出する再生継続時間検出手段と、前記光ディスクドライブが読み出している再生箇所を記憶する再生箇所記憶手段を有し、
前記制御手段は、前記再生継続時間検出手段が同一箇所を所定時間連続再生したことを検出した場合に、前記光ディスクドライブによるデータの読み出しを休止し、この休止は当該装置に対する前記操作手段によるユーザの操作があるまで継続するように構成し、かつ、前記休止に際しては、前記再生箇所検出手段が検出する当該休止時の前記光ディスク上の再生箇所を再生箇所記憶手段に記憶し、再開時に当該再生箇所記憶手段に記憶された再生箇所から再生を再開するように構成したとを特徴とする光ディスク再生装置。
【請求項２】
前記再生箇所記憶手段に記憶された再生箇所から再開される再生は、再生開始操作釦又はその他の操作釦がユーザによって操作されることにより発生する再生操作情報に基づき行われるように構成したことを特徴とする請求項１に記載の光ディスク再生装置。
【請求項３】
光ディスクのデータを読み出す光ディスクドライブ手段と、
前記光ディスクドライブ手段が読み出した光ディスクのデータを再生する再生手段と、
前記光ディスクドライブ手段、再生手段を制御する制御手段と、
ユーザの操作により前記制御手段に制御操作情報を入力する操作手段を備え、
前記制御手段は、前記光ディスクドライブ手段の駆動により読み出して前記光ディスクに記録されたタイトルの管理情報をメモリに記憶し、その管理情報の表示により、当該タイトルのトップメニュー再生状態、又はトップメニュー以外のデータ再生状態を、ユーザが選択可能に構成し、
更に前記制御手段は、前記トップメニュー再生状態にある場合、当該再生状態が所定時間継続したことを検出すると、そのトップメニュー再生の再生箇所を記憶すると共に、前記光ディスクドライブによるデータの読み出しを休止し、次のユーザ操作により前記記憶された再生箇所から再生を再開するように構成したことを特徴とする光ディスク再生装置。
【請求項４】
前記トップメニュー再生表示は、管理情報メニューと共に、当該タイトルの一部シーン等の映像データを再生表示するようにしたことを特徴とする請求項３に記載の光ディスク再生装置。
【請求項５】
前記制御手段は、データの読み出し休止時には、別途準備された注意喚起表示データ又はスクリーンセーバ表示データに基づいて表示するように構成したことを特徴とする請求項３に記載の光ディスク再生装置。
【発明の詳細な説明】
【技術分野】
【０００１】
本発明は、光ディスク再生装置に関し、特に光ディスクの同一箇所を連続再生表示する機能を有する光ディスク再生装置に関する。
【背景技術】
【０００２】
従来、このような光ディスクの同一箇所を連続して再生表示する機能を有する光ディスク再生装置としては、ＣＤプレーヤにおいては、再生動作を一時的に停止させるポーズ機能や、所望の曲を選んで再生する選曲再生機能や、１曲あるいはディスク全ての曲を繰り返し再生する１曲／全曲リピート機能や、任意のＡ点からＢ点までを繰り返し再生するＡ／Ｂリピート機能等が一般的に利用されていた（特許文献１、段落「０００９」参照）。
【０００３】
また、ディスク再生中の無動作映像による画面の焼き付きを防止し、デッキ未使用時のデッキ保護対策を行なうものが提案されている（特許文献２参照）。この文献には、「長時間同じ映像を表示した場合の画面焼き付き防止手段と、ＤＶＤデッキを使用しない場合のＤＶＤデッキ保護手段と、ＤＶＤ再生画面がアングル切り換え可能になったことをオンスクリーンによりユーザに知らせる機能を備えた」内容が開示されている。
【先行技術文献】
【特許文献】
【０００４】
【特許文献１】特許第３３９５７８１号公報
【特許文献２】特開平１１−４３９０号公報
【発明の概要】
【発明が解決しようとする課題】
【０００５】
このような従来例においては、特許文献１では、その連続再生されるデータ容量がバッファメモリに記憶が可能な範囲であり、連続再生中には光ディスクドライブを休止することが可能であった。また、特許文献２では、長時間表示される場合の画面（モニタ）の劣化防止対策であった。このような光ディスク装置に対し、近年、大容量の光ディスクの採用により、連続再生については、特に映像データの再生が必要な場合は、バッファメモリではカバーできず、光ディスクの同一箇所を連続再生する必要がある。例えば、ＢＤ−ＲＯＭ等の光ディスクの場合には、トップメニューの再生で管理情報メニューと共に一部シーン等の映像データを再生し、このトップメニューの再生時には同一箇所を繰り返し再生することになるが、同一箇所を長時間再生することにより、当該光ディスクの同一箇所に光ディスクドライブのレーザが長時間照射されて、劣化するという問題があった。
【０００６】
そこで、本発明は、上記の問題を解決し、光ディスクの同一箇所に光ディスクドライブのレーザが長時間照射されないようにしてその劣化を防止する光ディスク再生装置を提供することを目的としてなされたものである。
【課題を解決するための手段】
【０００７】
上記目的を達成するために、本発明のディスク再生装置は、光ディスクのデータを読み出す光ディスクドライブ手段と、前記光ディスクドライブ手段が読み出した光ディスクのデータを再生する再生手段と、前記光ディスクドライブが読み出すデータの再生箇所を検出する再生箇所検出手段と、前記光ディスクの同一再生箇所を継続して再生する場合にその時間を検出する再生継続時間検出手段と、前記光ディスクドライブ手段、再生手段、各検出手段を制御する制御手段と、前記光ディスクドライブが読み出している再生箇所を記憶する再生箇所記憶手段と、ユーザの操作により前記制御手段が生成する制御情報を入力する操作手段を備え、前記制御手段は、前記再生継続時間検出手段が同一箇所を所定時間連続再生したことを検出した場合に、前記光ディスクドライブによるデータの読み出しを休止し、この休止は当該装置に対する前記操作手段によるユーザの操作があるまで継続するように構成し、かつ、前記休止に際しては、前記再生箇所検出手段が検出する当該休止時の前記光ディスク上の再生箇所を再生箇所記憶手段に記憶し、再開時に当該再生箇所記憶手段に記憶された再生箇所から再生を再開するように構成した。
【０００８】
これにより、光ディスクの同一箇所を連続して再生する場合で、予め設定された所定時間に達すると、光ディスクドライブによるデータの読み出しを休止し、次にユーザの操作により再開される時に休止した再生箇所から再生を再開できる。
【発明の効果】
【０００９】
上記の構成によれば、光ディスクの同一箇所を、予め設定された所定時間連続再生した場合、光ディスクドライブによるデータの読み出しを休止し、光ディスクの同一箇所に光ディスクドライブのレーザが長時間照射されないため、ディスクの劣化防止に寄与することができるディスク再生装置を提供できる。
【図面の簡単な説明】
【００１０】
【図１】本発明光ディスク再生装置の実施の形態１にかかるブロック図
【図２】同タイトルＮｏとタイトルの内容の一例を示す図
【図３】同タイトル再生処理フロー図
【図４】同タイトル再生経過を示す説明図
【発明を実施するための形態】
【００１１】
（実施の形態１）
以下、本発明光ディスク再生装置の例として、ＢＤ−ＲＯＭの再生を行う光ディスク再生装置について図１〜図４に基づいて説明する。
【００１２】
図１において、１はＢＤ−ＲＯＭである光ディスク、２は光ディスク１を回転させるスピンドルモータ、３は光ディスク１からデータを読み出す光ピックアップ、４はスピンドルモータ１と光ピックアップ３を制御するドライバ、５は操作部、６はディスク再生装置を制御する制御手段、７は光ピックアップ３から得たデータを処理して映像及び音声の再生信号を作る信号処理手段、８は信号処理手段７に接続されたメモリ、９は信号処理手段７の再生信号を出力する出力手段、１０は信号処理手段７の再生信号の再生箇所（タイトル）を検出する再生箇所検出手段、１１は同一再生箇所の再生継続時間検出手段、１２は再生箇所記憶手段である。スピンドルモータ２、光ピックアップ３及びドライバ４で光ディスクドライブ１３が構成される。制御手段７〜再生箇所記憶手段１２は、通常、システムＬＳＩと呼ばれる大規模集積回路上の信号処理部およびＣＰＵ部で構成されることが多く、本実施の形態では便宜上各々のブロックで示している。操作部５は、機器やリモコンに搭載された操作ボタンを含むものである。
【００１３】
ここで、光ディスク１であるＢＤ−ＲＯＭに記録されたデータのファイル構成について、図２に基づいて説明する。ＢＤ−ＲＯＭは、ディスク上に「タイトル」と呼ばれるコンテンツの単位がある。図２はディスクのタイトル構成の一例を示す。タイトルは、タイトルＮｏを割り当てられ、タイトルＮｏによって識別される。また、タイトル再生終了後、次に再生するタイトルを指定する情報も持っている。ＢＤ−ＲＯＭの規格で、タイトルＮｏ「００００」はファーストプレイバック、タイトルＮｏ「ＦＦＦＦ」（１６進数）はトップメニューを現すことが規定されている。ファーストプレイバックは、ディスク挿入後最初に再生されるコンテンツで、たとえば映画会社のロゴマークなどである。トップメニューは、ディスク全体の再生を制御するためのメニューで、たとえば「本編再生」、「音声・字幕選択」、「特典映像」、「予告編集」などの項目を選択するための操作ボタンが表示される。ユーザは、機器のリモコンの矢印ボタンなどで項目間を移動し、決定ボタンで項目を選択できる。また、トップメニューの背景映像として、そのディスクのハイライトシーンを編集した１〜２分程度の動画が表示されることがある。通常は、ユーザの操作で「本編」等の再生項目が選択されるまでトップメニューが表示され、背景動画は１〜２分程度のものが繰り返し再生され続ける。これは、トップメニュー（タイトルＮｏ「ＦＦＦＦ」）再生において、次の再生タイトルをトップメニュー（タイトルＮｏ「ＦＦＦＦ」）と指定することで実現される。
【００１４】
つぎに、光ディスクドライブ１３の一般的な再生動作について説明する。光ディスクドライブ１３は、信号処理手段７から光ディスクの所定の箇所を読み出す命令を受けると、ドライバ４の制御でスピンドルモータ２により光ディスク１を回転させる。そして、ドライバ４の制御により光ピックアップ３を所定の位置に移動させて、光ディスク１にレーザ光を照射し、その反射光によりディスクデータを読み取る。読み取ったデータは、信号処理手段７に転送される。信号処理手段７は、光ディスクドライブ１３から得たデータをデコードして、制御プログラム、映像信号、音声信号、などを得る。制御プログラムは制御手段６で処理され、ディスク１の再生を制御する。制御手段６の制御に応じ、映像信号、音声信号が出力手段９を介して、外部の映像・音声出力装置（ＴＶやＡＶアンプなど）へ出力される。
【００１５】
次に、図３の処理フロー図を用いて、ディスク１のタイトル再生の一例を説明する。ディスク１はＢＤ−ＲＯＭであり、図２に示すタイトル構成であるとする。また、下記説明のタイトル再生の経過を図４に示す。ここで、図３のステップＳ１Ｓ〜１２は処理番号を示し、図４のＴ０〜Ｔ６は処理タイミングの時刻を示す。
【００１６】
図３において、まず、時刻Ｔ０においてディスク１が挿入される（ステップＳ１）と、新たなディスク１が挿入されたことが光ディスクドライブ１３から制御手段６に通知される。制御手段６は、ディスク再生の初期化処理の一環として、再生しているタイトルＮｏを記憶しておくため、制御手段６内に設けられたタイトルメモリをクリアする（ステップＳ２）。
【００１７】
ディスク挿入直後は、規格上ファーストプレイバックが再生されることになっているので、制御手段６から信号処理手段７を介して光ディスクドライブ１３にファーストプレイバックのデータの読み出し指示が出され、対応データが読み出される。次のステップＳ３で、再生するタイトルのタイトルＮｏがタイトルメモリに記憶されているタイトルＮｏと一致するかどうか確認する。最初はタイトルメモリがクリアされているので、再生するタイトル、ファーストプレイバック（タイトルＮｏ「００００」）がタイトルメモリに記憶されているタイトルＮｏとは一致しない。したがってステップＳ３の判断はＮｏとなり、ステップＳ４の処理に移行する。ステップＳ４では、再生するタイトルＮｏ「００００」をタイトルメモリに記憶すると共に、再生継続時間検出用のタイマをリセットし、ステップＳ５に移行する。
【００１８】
ステップＳ５では、再生するタイトルがトップメニュー（タイトルＮｏ「ＦＦＦＦ」）かどうか判定する。最初に再生されるのはファーストプレイバック（タイトルＮｏ「００００」）であるため、判定はＮｏとなり、ステップＳ６に移行する。ステップＳ６では、タイトル再生が終了しているかどうか判定し、終了していなければステップＳ５に戻り、終了していればステップＳ３へ移行する。各タイトルは、図２に示すようにタイトル終了後の次に再生するタイトル情報が指定されている。本例では、図２に示すとおり、ファーストプレイバックの次は、トップメニュー（タイトルＮｏ「ＦＦＦＦ」）を再生する指定になっている。
【００１９】
時刻Ｔ１になると、ファーストプレイバックのタイトル再生が終了し、ステップＳ６からステップＳ３へ戻り、再生するタイトルのタイトルＮｏがタイトルメモリに記憶されているタイトルＮｏと一致するかどうか確認する。今回はタイトルメモリにはファーストプレイバック（タイトルＮｏ「００００」）が記憶されているが、再生するタイトルであるトップメニュー（タイトルＮｏ「ＦＦＦＦ」）とは一致せず、判定はＮｏとなる。ステップＳ４の処理に移行し、再生するタイトルＮｏ「００００」をタイトルメモリに記憶し、再生継続時間検出用のタイマをリセットする。そして、ステップＳ５では、再生するタイトルがトップメニュー（タイトルＮｏ「ＦＦＦＦ」）となっているため、このタイミングで判定はＹｅｓとなり、次のステップＳ７に移行する。
【００２０】
ステップＳ７では、再生継続時間検出用のタイマの値が所定時間Ｔ経過しているかどうか判定するが、この所定時間Ｔの値としては、一例として、ここでは５分とする。通常、ユーザがトップメニューが表示されてから、いずれか別のタイトルを選択するのには５分程度あれば十分と思われるからである。最初は所定時間Ｔを経過していないので、判定はＮｏとなり、ステップＳ６へ移行する。ステップＳ６では、前述の通りタイトル再生が終了しているかどうか判定し、終了していなければステップＳ５に戻り、終了していればステップＳ３へ移行する。トップメニューの再生は、たとえば２分とすると、１回目の再生の間は、ステップＳ６→Ｓ５→Ｓ７と移行し、ステップＳ７の経過時間判定は常にＮｏのままでタイトルの再生が終了し、１回目の再生が終了する時刻Ｔ２において、ステップＳ６からステップＳ３へ移行する。
【００２１】
この時刻Ｔ２からは２回目のトップメニューの再生となるが、タイトルＮｏは「ＦＦＦＦ」である。したがって、ステップＳ３で再生するタイトルのタイトルＮｏがタイトルメモリに記憶されているタイトルＮｏと一致し、ステップＳ３の判定はＹｅｓとなる。ステップＳ５→Ｓ７の処理に移行し、再生継続時間検出用のタイマは、時刻Ｔ２時点の値（２分）を保持して、加算されることになる。そして、このステップＳ５→Ｓ７→Ｓ６からステップＳ５というループで処理がつづき、２回目のトップメニュー再生が終了する時刻Ｔ３においてステップ６からステップＳ３へ移行する。
【００２２】
続いて、時刻Ｔ３から３回目のトップメニューの再生が行われるが、前述した２回目と同様、再生するタイトルのタイトルＮｏがタイトルメモリに記憶されているタイトルＮｏと一致し、ステップＳ３の判定はＹｅｓとなる。ステップＳ５→Ｓ７の処理に移行し、再生継続時間検出用のタイマは、時刻Ｔ３時点の値（４分）を保持して、加算されることになる。そして、このステップＳ５→Ｓ７→Ｓ６からステップＳ５というループで処理が続く。
【００２３】
そして、３回目のトップメニューの再生開始から１分後の時刻Ｔ４に、再生継続時間検出用のタイマの値が所定時間Ｔ（５分）に到達すると、ステップＳ７の判定がＹｅｓとなる。ここで、再生箇所検出手段１０により、トップメニューの再生箇所（この場合、タイトルＮｏ「ＦＦＦＦ」の１分００秒地点）の情報が検出・記憶される（ステップＳ８）。また、制御手段６から光ディスクドライブ１３に停止の指令が出され、レーザの照射も停止する。このとき、制御手段６は、メモリ８に記憶されている機器のスクリーンセーバ画面、又は、「現在メニュー表示を停止しております。再びメニューを表示するにはリモコンのどれかのキーを押してください」というような注意喚起表示データとのいずれか、または両方を、出力手段９を介して表示装置に表示させる。そして、次のステップＳ１０の再生操作情報待ちのループに入る。この再生操作情報待ちのループでは、操作部５で何らかの操作が行われることを待つ。
【００２４】
その後、時刻Ｔ５において、矢印キー、決定キーなど何らかのキー操作が行われたことをステップＳ１０で判定すると、ステップＳ１１に移行し、ステップＳ９で停止したときの再生箇所（この場合、タイトルＮｏ「ＦＦＦＦ」の１分００秒地点）から再生を開始する。ここで、ステップＳ１０の判定入力となる操作については、前述した注意喚起表示データの一部に操作再開用のボタンを設けて、そのボタンを選択するようにしてもよい。そして、ステップＳ１１で再生を再開した後、ステップＳ４ででリセット後継続していた再生継続時間検出用のタイマをリセットする（ステップＳ１２）。次に、ステップＳ６に移行し、再びステップＳ５→Ｓ７→Ｓ６というループを繰り返し、時刻Ｔ６で４回目のトップメニューの再生を開始する。
【００２５】
なお、図３の処理フロー図には図示していないが、トップメニューでユーザにより「本編再生」、「音声・字幕選択」、「特典映像」、「予告編集」などの項目選択ボタンが選択された場合には、割り込み処理により、ステップＳ６へ処理を飛ばす。このとき、次に再生されるタイトルは項目選択ボタンで指定されたタイトルとなるが、そのタイトルを再生中の処理はステップＳ６−Ｓ５−Ｓ６と継続される。そして、当該タイトルの再生が終了すると、トップメニューの表示になるが、処理はステップＳ６−Ｓ３−Ｓ４に移行し、タイトルメモリにタイトルＮｏ「ＦＦＦＦ」が記憶される。また、いずれのタイトルを再生している途中でも、ユーザが再生停止操作やディスク排出操作を行った場合には、割り込み処理で再生停止やディスク排出が実行され、図３の処理フローは終了する。
【００２６】
本実施の形態のディスク再生装置は、以上説明したように、光ディスクのデータを読み出す光ディスクドライブ手段と、前記光ディスクドライブ手段が読み出した光ディスクのデータを再生する再生手段と、前記光ディスクドライブ手段、再生手段を制御する制御手段と、ユーザの操作により前記制御手段に制御操作情報を入力する操作手段を備え、前記制御手段は、前記光ディスクドライブ手段の駆動により読み出して前記光ディスクに記録されたタイトルの管理情報をメモリに記憶し、その管理情報の表示により、当該タイトルのトップメニュー再生状態、又はトップメニュー以外のデータ再生状態を、ユーザが選択可能に構成し、更に前記制御手段は、前記トップメニュー再生状態にある場合、当該再生状態が所定時間継続したことを検出すると、そのトップメニュー再生の再生箇所を記憶すると共に、前記光ディスクドライブによるデータの読み出しを休止し、次のユーザ操作により前記記憶された再生箇所から再生を再開するように構成したものであり、当該タイトルのトップメニュー再生状態が、予め設定された所定時間継続した場合には光ディスクドライブによるデータの読み出しを休止し、次にユーザの操作により再開される時に休止した再生箇所から再生を再開できるという作用を有し、光ディスクの同一箇所に光ディスクドライブのレーザが長時間照射されないため、ディスク劣化を防止できる。
【００２７】
また、トップメニュー再生表示は、管理情報メニューと共に、当該タイトルの一部シーン等の映像データを再生表示するものを含み、特に、バッファメモリに記憶できないような大容量のもので、ドライブ手段の駆動によりディスクを再生しながらから繰り返し再生するような場合に、所定時間以上にわたって繰り返し再生することを防止し、光ディスクの同一箇所に光ディスクドライブのレーザが長時間照射されないため、ディスク劣化を防止できる。
【００２８】
また、制御手段は、データの読み出し休止時には、別途準備された注意喚起表示データ又はスクリーンセーバ表示データに基づいて表示することにより、再生動作が休止中であることを、ユーザに対して容易に知らしめることができる。
【００２９】
再生箇所記憶手段に記憶された再生箇所から再開される再生は、再生開始操作釦又はその他の操作釦がユーザによって操作されることにより発生する再生操作情報に基づき行われるように構成することにより、ユーザの操作性を向上することができる。
【産業上の利用可能性】
【００３０】
本発明は、光ディスク再生装置に関し、特に光ディスクの同一箇所を連続して再生する光ディスク再生装置に関するものであって、光ディスクの同一箇所に光ディスクドライブのレーザが長時間照射されないようにしてその劣化を防止する光ディスク再生装置を提供できる。そのため、本発明は、ＢＤ−ＲＯＭ再生装置、ＤＶＤ再生装置など大容量の映像データを有する装置に適用できる。
【符号の説明】
【００３１】
１    光ディスク、
２    スピンドルモータ
３    ピックアップ
４    ドライバ
５    操作部
６    制御手段
７    信号処理手段
８    メモリ
９    出力手段
１０  再生箇所検出手段
１１  再生継続時間検出手段
１２  再生箇所記憶手段
１３  光ディスクドライブ
【図１】
2011210320.tif 000003
【図２】
2011210320.tif 000004
【図３】
2011210320.tif 000005
【図４】
2011210320.tif 000006